【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
アンカー器具を体内通路の壁内へ送達するための医療装置であって、
前記体内通路の壁の管腔面に吸引力をかけて内方へ移動した組織の部分を設けるのに有効であり、その遠位部分が長手軸線を有している管腔内的に進入可能な器具と、
前記管腔内的に進入可能な器具と協働可能であり、且つ前記内方へ移動した組織の部分内へ前記管腔内的に進入可能な器具の前記遠位部分の前記長手軸線からのあるオフセット角度をもって送達可能であるアンカー器具と、を備える医療装置。
【請求項２】
アンカー器具を患者の組織内へ送達するために管腔内的に進入可能な器具を装備するための医療用キットであり、前記管腔内的に進入可能な器具は、操作チャネルを有し且つ前記操作チャネルの開口部を通して吸引力を伝えるようにされており、
前記管腔内的に進入可能な器具を受け入れるための円筒部材であって、長手軸線を有しており且つ前記操作チャネルから吸引力を受けて患者の組織を該円筒部材内へ引き込むようになされた円筒部材と、
前記操作チャネルを通して送達可能であり且つ前記円筒部分内へ引き込まれた患者の組織内に前記円筒部材の前記長手軸線からのあるオフセット角度をもって埋め込むことができるアンカー器具と、を備えている医療用キット。
【請求項３】
遠位部位が長手軸線を有する内視鏡に取り付ける用具であって、
長手軸線を規定している遠位部分を有する内視鏡円筒部材と、
前記円筒部材に結合されており、該円筒部材を前記内視鏡の前記遠位部位に取り付けるためのハブと、を備えており、
前記ハブと前記円筒部材は、前記円筒部材の前記遠位部分の前記長手軸線が前記内視鏡の前記遠位部位の前記長手軸線からあるオフセット角度を有した状態で、当該用具を前記内視鏡の前記遠位部位に取り付けることができるようになされている、内視鏡に取り付ける用具。
【請求項４】
前記円筒部材が前記遠位部分に結合した近位部分を有しており、該近位部分は、前記遠位部分の長手軸線からあるオフセット角度にある長手軸線を有している、請求項３に記載の内視鏡に取り付ける用具。
【請求項５】
前記ハブが前記円筒部材の前記近位部分に結合されている、請求項４に記載の内視鏡に取り付ける用具。
【請求項６】
遠位の開口部を有し、吸引力を該遠位の開口部へ伝えるのに有効である管腔内的に進入可能な器具と、
前記管腔内的に進入可能な器具の遠位部分に取り付けられており且つ前記吸引力を受けるように配置されている用具と、を備えており、
前記用具は、前記遠位部分の外周に配置されているハブ、及び該ハブに取り付けられ且つ遠位部分を有する円筒部材を備えており、
前記円筒部材の前記遠位部分は第一の長手軸線を規定し、前記管腔内的に進入可能な器具の前記遠位部分は第二の長手軸線を規定しており、
前記ハブと前記円筒部材は、前記第一の長手軸線が前記第二の長手軸線からあるオフセット角度にある状態で、前記用具を前記管腔内的に進入可能な器具の前記遠位部分上に、固定するようになされている、医療器具。
【請求項７】
前記管腔内的に進入可能な器具が内視鏡であり、
該内視鏡は長手方向に貫通して伸長し、長手軸線を規定している操作チャネルを備え、
前記操作チャネルによって規定されている前記長手軸線が、前記内視鏡の遠位端の遠位側の位置で前記第一の長手軸線と交差している、請求項６に記載の医療装置。
【請求項８】
前記管腔内的に進入可能な器具の前記遠位部分上に受け入れられる円筒部材であって、長手軸線を有し、当該円筒部材内に患者の組織を受け入れるために前記管腔内的に進入可能な器具から吸引力を受けるようになされた円筒部材をさらに備えており、前記アンカー器具が、前記円筒部材内に受け入れられた患者の組織内に前記円筒部材の前記長手軸線からあるオフセット角度をもって埋め込むことが可能である、請求項１に記載の医療器具。
【請求項９】
前記管腔内的に進入可能な器具の前記遠位部分に取り付けられ、内視鏡円筒部材とハブとを有する用具をさらに備えており、前記内視鏡円筒部材は長手軸線を有する遠位部分を有しており、前記ハブは、前記内視鏡円筒部材の前記遠位部分の前記長手軸線が前記管腔内的に進入可能な器具の前記長手軸線からあるオフセット角度をもった状態で、前記内視鏡円筒部材を前記管腔内的に進入可能な器具の前記遠位部分に連結している、請求項１に記載の医療器具。
【請求項１０】
前記管腔内的に進入可能な器具の前記遠位部分に取り付けられる内視鏡円筒部材をさらに備えており、該内視鏡円筒部材は、前記管腔内的に進入可能な器具の前記遠位部分の前記長手軸線からあるオフセット角度を有する長手軸線を規定する遠位部分を備えている、請求項１に記載の医療器具。
【請求項１１】
前記内視鏡円筒部材が近位部分を有しており、該近位部分は前記内視鏡円筒部材の前記長手軸線からあるオフセット角度を有する長手軸線を備えている、請求項１０に記載の医療器具。
【請求項１２】
前記管腔内的に進入可能な器具の前記遠位部分に取り付けられて該管腔内的に進入可能な器具からの吸引力を受けるように配置された用具であって、前記管腔内的に進入可能な器具の前記遠位部分上に配置されたハブと、前記ハブに取り付けられる円筒部材であって遠位部分を有する円筒部材と、を備える用具をさらに備えており、前記管腔内的に進入可能な器具の前記遠位部分が第一の長手軸線を規定し、前記円筒部材の前記遠位部分が第二の長手軸線を既定し、前記第一の長手軸線が前記第二の長手軸線からのあるオフセット角度を有している、請求項１に記載の医療器具。
【請求項１３】
前記管腔内的に進入可能な器具が操作チャネルを有する内視鏡であり、該操作チャネルは前記内視鏡を通って長手方向に延在して長手軸線を規定しており、前記操作チャネルによって規定される前記長手軸線は、前記内視鏡の遠位端の遠位側の位置で前記第二の長手軸線と交差している、請求項１２に記載の医療器具。
【請求項１４】
前記アンカー器具が、アンカー本体部を有し、該アンカー本体部から繋ぎ紐が延びている、請求項１に記載の医療器具。
【請求項１５】
前記繋ぎ紐は縫合糸材料からなる、請求項１４に記載の医療器具。
【請求項１６】
前記アンカー器具は可撓性の材料からなる、請求項１に記載の医療器具。
【請求項１７】
前記アンカー器具はＴ型アンカーである、請求項１に記載の医療器具。
【請求項１８】
前記アンカー器具が、アンカー本体部を有し、該アンカー本体部から繋ぎ紐が延びている、請求項２に記載の医療器具。
【請求項１９】
前記繋ぎ紐は縫合糸材料からなる、請求項１８に記載の医療器具。
【請求項２０】
前記アンカー器具は可撓性の材料からなる、請求項２に記載の医療器具。
【請求項２１】
前記アンカー器具はＴ型アンカーである、請求項２に記載の医療器具。
【請求項２２】
管腔内面と管腔外面からなる体内通路の壁への縫合糸の固定に使用されるアンカーと縫合糸の組合せであって、
該固定は、前記体内通路の壁の前記管腔内面に沿って前記体内通路の内部領域に向かって配置される組織の偽ポリープを前記体内通路から作り出し、その後で、前記アンカーが前記壁の前記管腔外面には存在せずに前記縫合糸が前記アンカーから前記体内通路の内部領域へと延びている状態で前記アンカーを前記壁の中に埋め込むように、前記アンカーを前記組織の偽ポリープ内へと挿入する方法によってなされる、アンカーと縫合糸の組合せ。
【請求項２３】
前記アンカーはＴ型アンカーである、請求項２２のアンカーと縫合糸の組合せ。